(57)【要約】  通信デバイスによって実行される方法であって、ａ）セルの複数のビームのそれぞれに対してそれぞれのビーム品質を測定し、ｂ）複数のビームのうち、Ｎ個のビームを有するビームの第１のグループを識別し、ｃ）ビームの第１のグループから、Ｍ個のビームを有するビームの第２のグループを選択し、ｄ）第２のグループのＭ個のビームの測定ビーム品質に基づいてセルのセル品質を導出することを有する。【選択図】図１
2020509654.tif 000002
【特許請求の範囲】
【請求項１】
通信デバイスによって実行される方法であって、
ａ）セルの複数のビームのそれぞれに対してそれぞれのビーム品質を測定し、
ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、
ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、
ｄ）前記第２のグループのＭ個のビームの測定ビーム品質に基づいて前記セルのセル品質を導出する、方法。
【請求項２】
更に、測定リポートにおいて基地局に前記セル品質を報告する請求項１に記載の方法。
【請求項３】
更に、少なくとも１つの、前記第１のグループ及び／又は前記第２のグループのビームのペア間の相関を決定する請求項２に記載の方法。
【請求項４】
前記相関を識別する情報（又は前記相関に基づいて計算される値）が前記測定リポートに前記導出されたセル品質とは別に含まれる請求項３に記載の方法。
【請求項５】
前記セル品質は、前記決定された相関（又は、前記決定された相関に基づいて計算された値）に基づいて更に導出される請求項３に記載の方法。
【請求項６】
前記第２のグループにおけるビームの数Ｍを識別する情報が、前記測定リポートに前記導出されたセル品質とは別に含まれる請求項２から５何れか１項に記載の方法。
【請求項７】
前記セル品質は、前記第２のグループにおけるビームの数Ｍに基づいて更に導出される請求項２から５何れか１項に記載の方法。
【請求項８】
セル品質は、下記式、
【数１】
2020509654.tif 000012
に基づいて導出され、ここで、Qbeamiはインデックスｉを有するビームについて測定されたビーム品質であり、Ｍは前記第２のグループにおいて選択されたビームの数であり、Ｃは前記セル内のビーム間の相関の関数である請求項１又は２に記載の方法。
【請求項９】
前記セル品質は、下記式、
【数２】
2020509654.tif 000013
に基づいて更に導出され、ここで、Qbeam1は前記セル内のベストビームについて測定されたビーム品質であり、Qbeamiはインデックスｉを有するビームについて測定されたビーム品質であり、βは設定可能な値であり、Ｃｊ，ｉはビームインデックス＝ｊを有するビームとビームインデックス＝ｉを有するビームとの間の相関の度合いである請求項１又は２に記載の方法。
【請求項１０】
前記セル品質は、下記式、
【数３】
2020509654.tif 000014
に基づいて更に導出され、ここで、Qbeamiはインデックスｉを有するビームについて測定されたビーム品質であり、ＷｉはQbeamiに適用される重みである請求項１又は２に記載の方法。
【請求項１１】
前記重み（Ｗｉ）は、下記式、
【数４】
2020509654.tif 000015
に基づいて導出され、ここで、αは１より小さい正の値を持つ設定可能なパラメータであり、ｉは数値ビームインデックスである請求項１０に記載の方法。
【請求項１２】
前記第２のグループの各ビームは、それぞれ、最も高いビーム品質を示すビームが最も小さいインデックス値（例えば１）を有し、最も低いビーム品質を示すビームが最も大きいインデックス値（例えば前記第２のグループのビームの数Ｍに等しいインデックス値）を有するように、前記第２のグループの他の各ビームと比較した前記ビームのビーム品質に依存した数値ビームインデックスｉを有する請求項１１に記載の方法。
【請求項１３】
前記第１のグループ内の識別されたビームに対してフィルタリング（例えばＬ３フィルタリング）を実施することを有し、前記ビームの第１のグループから前記ビームの第２のグループを選択することは、フィルタリングされた前記第１のグループ内の識別されたビームに基づいて実施される請求項１から１２何れか１項に記載の方法。
【請求項１４】
ステップａ）からｄ）を少なくとも１つの更なるセルについて繰り返すことを更に有する請求項１から１３何れか１項に記載の方法。
【請求項１５】
通信デバイスにより実行される方法であって、
ａ）前記通信デバイスのサービングセルにおいて、該サービングセルの複数のビームのそれぞれに対してそれぞれのビーム品質を測定し、
ｂ）前記サービングセルの前記複数のビームのうち、Ｎ個のビームを有するサービングセルビームのグループを識別し、ここで、前記サービングセルビームのグループの各ビームは、第１のセルにおける前記測定から生じるＮ個の最良の測定ビーム品質にある測定ビーム品質を示し、かつサービングセルビームのグループは、前記サービングセルビームのグループにおいて最良の測定ビーム品質を示すベストサービングセルビームを有し、
ｃ）前記サービングセルの隣接セルにおいて、該隣接セルの複数のビームのそれぞれに対してそれぞれのビーム品質を測定し、
ｄ）前記隣接セルの複数のビームのうち、Ｎ個のビームを有する隣接セルビームのグループを識別し、ここで、前記隣接セルビームのグループの各ビームは、隣接セルの測定から生じるＮ個の最良の測定ビーム品質にある測定ビーム品質を示し、かつ、前記隣接セルビームのグループは、前記隣接セルビームのグループにおいて最良の測定品質を示すベスト隣接セルビームを有し、
ｅ）前記ベストサービングセルビームの測定品質を前記ベスト隣接セルビームの測定品質とを比較し、前記ベストサービングセルビームとベスト隣接セルビームとの間で最も低い測定品質を識別し、
ｆ）前記隣接セルビームのグループから、測定ビーム品質が、前記決定された最も低い測定品質よりあらかじめ設定されたオフセットだけ低い品質以上の測定品質を有するＭ個のビームを有する隣接セルビームの更なるグループを選択し、
ｇ）前記隣接セルビームの更なるグループのＭ個のビームの測定ビーム品質に基づいて前記隣接セルの測定品質を導出する、方法。
【請求項１６】
ステップｃ）からｇ）を前記サービングセルの更なる隣接セルの少なくとも１つに対して繰り返すことを更に有する請求項１５に記載の方法。
【請求項１７】
通信デバイスによって実行される方法であって、
ａ）第１のセルにおいて、該第１のセルの複数のビームのそれぞれに対しそれぞれのビーム品質を測定し、
ｂ）前記第１のセルの複数のビームのうち、Ｎ個のビームを有する第１のセルビームのグループであって、該第１のセルビームのグループのビームのそれぞれは、前記第１のセルにおける測定から生じるＮ個の最良の測定ビーム品質であるそれぞれの測定ビーム品質を示す第１のセルビームのグループを識別し、
ｃ）少なくとも１つの第２のセルにおいて、該第２のセルの複数のビームのそれぞれに対しそれぞれのビーム品質を測定し、
ｄ）前記少なくとも１つの第２のセルの複数のビームのうち、Ｎ個のビームを有する少なくとも１つの第２のセルビームのグループであって、該少なくとも１つの第２のセルビームのグループのビームのそれぞれは、前記少なくとも１つの第２のセルにおける測定から生じるＮ個の最良の測定ビーム品質であるそれぞれの測定ビーム品質を示す第２のセルビームのグループを識別し、
ｅ）前記第１のセルビームのグループ及び前記少なくとも１つの第２のセルビームのグループから、Ｍ個のビームを有する更なるビームのグループであって、該更なるグループのビームのそれぞれは、前記第１のセル及び前記少なくとも１つの第２のセルにおける測定から生じるＭ個の最良の測定ビーム品質であるそれぞれの測定ビーム品質を示す更なるグループを選択し、
ｆ）前記更なるグループ内の前記第１のセルのビームの測定ビーム品質に基づいて前記第１のセルのセル品質を導出し、
ｇ）前記更なるグループ内の前記少なくとも１つの第２のセルのビームの測定ビーム品質に基づいて前記少なくとも１つの第２のセルのセル品質を導出する、方法。
【請求項１８】
前記第１のセルはサービングセルであり、前記少なくとも１つの第２のセルは少なくとも１つの隣接セルである請求項１７に記載の方法。
【請求項１９】
基地局により実行される方法であって、
ａ）少なくとも１つのＵＥにメッセージを送信し、複数のビームが提供される少なくとも１つのセルにおいてセル品質測定を実行させるように、前記少なくとも１つのＵＥを構成し、
ｂ）前記ＵＥから、請求項１から１８の何れか１項に記載の方法を使用して、少なくとも前記ビームの選択に対するビーム品質の測定に基づいて導出された、前記少なくとも１つのセルに対する少なくとも１つのセル品質を有する測定リポートを受信する、方法。
【請求項２０】
前記少なくとも１つのセル品質測定に基づいてハンドオーバ決定を行うことを更に有する請求項１９に記載の方法。
【請求項２１】
前記ハンドオーバ決定は、グループの各ビームがＭ個の最良の測定ビーム品質にあるそれぞれの測定ビーム品質を示すグループ内にあるようにＵＥにより選択されたビームの数を表す値Ｍ、及び前記グループのビームの少なくとも１つのペアの間の相関の値（又は相関の値に基づいて計算された値）の少なくとも１つに更に基づく請求項２０に記載の方法。
【請求項２２】
前記値Ｍ、及び前記相関の値（又は相関の値に基づいて計算された値）の少なくとも１つは、前記測定リポートにおいて提供される請求項２１に記載の方法。
【請求項２３】
請求項１から２３何れか１項に記載の方法を実行するためにプログラム可能プロセッサをプログラムするように動作可能な命令が格納されたコンピュータプログラム読み取り可能ストレージ媒体。
【請求項２４】
コントローラとトランシーバとを有する通信デバイスであって、前記コントローラは、
ａ）セルの複数のビームのそれぞれに対してそれぞれのビーム品質を測定し、
ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、
ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、
ｄ）前記第２のグループのＭ個のビームの測定ビーム品質に基づいて前記セルのセル品質を導出する、ことを動作可能である通信デバイス。
【請求項２５】
コントローラとトランシーバとを有する通信デバイスであって、前記コントローラは、
ａ）前記通信デバイスのサービングセルにおいて、該サービングセルの複数のビームのそれぞれに対してそれぞれのビーム品質を測定し、
ｂ）前記サービングセルの前記複数のビームのうち、Ｎ個のビームを有するサービングセルビームのグループを識別し、ここで、前記サービングセルビームのグループの各ビームは、第１のセルにおける前記測定から生じるＮ個の最良の測定ビーム品質にある測定ビーム品質を示し、かつサービングセルビームのグループは、前記サービングセルビームのグループにおいて最良の測定ビーム品質を示すベストサービングセルビームを有し、
ｃ）前記サービングセルの隣接セルにおいて、該隣接セルの複数のビームのそれぞれに対してそれぞれのビーム品質を測定し、
ｄ）前記隣接セルの複数のビームのうち、Ｎ個のビームを有する隣接セルビームのグループを識別し、ここで、前記隣接セルビームのグループの各ビームは、隣接セルの測定から生じるＮ個の最良の測定ビーム品質にある測定ビーム品質を示し、かつ、前記隣接セルビームのグループは、前記隣接セルビームのグループにおいて最良の測定品質を示すベスト隣接セルビームを有し、
ｅ）前記ベストサービングセルビームの測定品質を前記ベスト隣接セルビームの測定品質とを比較し、前記ベストサービングセルビームとベスト隣接セルビームとの間で最も低い測定品質を識別し、
ｆ）前記隣接セルビームのグループから、測定ビーム品質が、前記識別された最も低い測定品質よりあらかじめ設定されたオフセットだけ低い品質以上の測定品質を有するＭ個のビームを有する隣接セルビームの更なるグループを選択し、
ｇ）前記隣接セルビームの更なるグループのＭ個のビームの測定ビーム品質に基づいて前記隣接セルの測定品質を導出する、ことを動作可能である通信デバイス。
【請求項２６】
コントローラとトランシーバとを有する通信デバイスであって、前記コントローラは、
ａ）第１のセルにおいて、該第１のセルの複数のビームのそれぞれに対しそれぞれのビーム品質を測定し、
ｂ）前記第１のセルの複数のビームのうち、Ｎ個のビームを有する第１のセルビームのグループであって、該第１のセルビームのグループのビームのそれぞれは、前記第１のセルにおける測定から生じるＮ個の最良の測定ビーム品質であるそれぞれの測定ビーム品質を示す第１のセルビームのグループを識別し、
ｃ）少なくとも１つの第２のセルにおいて、該第２のセルの複数のビームのそれぞれに対しそれぞれのビーム品質を測定し、
ｄ）前記少なくとも１つの第２のセルの複数のビームのうち、Ｎ個のビームを有する少なくとも１つの第２のセルビームのグループであって、該少なくとも１つの第２のセルビームのグループのビームのそれぞれは、前記少なくとも１つの第２のセルにおける測定から生じるＮ個の最良の測定ビーム品質であるそれぞれの測定ビーム品質を示す第２のセルビームのグループを識別し、
ｅ）前記第１のセルビームのグループ及び前記少なくとも１つの第２のセルビームのグループから、Ｍ個のビームを有する更なるビームのグループであって、該更なるグループのビームのそれぞれは、前記第１のセル及び前記少なくとも１つの第２のセルにおける測定から生じるＭ個の最良の測定ビーム品質であるそれぞれの測定ビーム品質を示す更なるグループを選択し、
ｆ）前記更なるグループ内の前記第１のセルのビームの測定ビーム品質に基づいて前記第１のセルのセル品質を導出し、
ｇ）前記更なるグループ内の前記少なくとも１つの第２のセルのビームの測定ビーム品質に基づいて前記少なくとも１つの第２のセルのセル品質を導出する、ことを動作可能である通信デバイス。
【請求項２７】
コントローラとトランシーバとを有し、前記コントローラは、前記トランシーバを制御し、
ａ）少なくとも１つのＵＥにメッセージを送信し、複数のビームが提供される少なくとも１つのセルにおいてセル品質測定を実行させるように、前記少なくとも１つのＵＥを構成し、
ｂ）前記ＵＥから、請求項１から２２の何れか１項に記載の方法を使用して、少なくとも前記ビームの選択に対するビーム品質の測定に基づいて導出された、前記少なくとも１つのセルに対する少なくとも１つのセル品質を有する測定リポートを受信する、ように動作可能である基地局。
【請求項２８】
少なくとも１つのセルを動作する、少なくとも１つの請求項２７に記載の基地局と、請求項２４から２６の何れか１項に記載の通信デバイスとを有する通信システム。
【発明の詳細な説明】
【技術分野】
【０００１】
本発明は、通信システムに関する。本発明は、限定はされないが、特に３ＧＰＰ（3rd Generation Partnership Project）規格、又は同等物、或いはその派生物に従って動作する無線通信システム及びそのデバイスに関連する。本発明は、限定はされないが、特にビームフォーミングを使用する、いわゆる‘次世代’システムにおけるセル品質の測定に関連する。
【背景技術】
【０００２】
３ＧＰＰ規格の最新の開発は、ＥＰＣ（Evolved Packet Core）ネットワーク、及びＥ−ＵＴＲＡＮ（Evolved UMTS Terrestrial Radio Access Network）のＬＴＥ（Long Term Evolution）と呼ばれ、一般に‘４Ｇ’とも呼ばれる。加えて、用語‘５Ｇ’及び‘ＮＲ（new radio）’は、多様なアプリケーション及びサービスをサポートすることが期待される進化した通信技術を指す。５Ｇネットワークの様々な詳細は、例えばＮＧＭＮ（Next Generation Mobile Networks）アライアンスによる‘ＮＧＭＮ  ５Ｇ  Ｗｈｉｔｅ  Ｐａｐｅｒ’Ｖ１．０に記述されており、そのドキュメントはhttps://www.ngmn.org/5g-white-paper.htmlから利用可能である。３ＧＰＰは、いわゆる３ＧＰＰ次世代（ＮｅｘｔＧｅｎ）無線アクセスネットワーク（ＲＡＮ）、及び３ＧＰＰ  ＮｅｘｔＧｅｎコアネットワークを通じて５Ｇをサポートする予定である。
【０００３】
３ＧＰＰ規格の下で、ＮｏｄｅＢ（又はＬＴＥにおけるｅＮＢ、５ＧにおけるｇＮＢ）は基地局であり、通信デバイス（ユーザ機器又はＵＥ）は基地局を介してコアネットワークに接続し、他の通信デバイス又はリモートサーバと通信する。単純化のために、本開示は、任意のそのような基地局を指すために用語基地局を使用し、任意のそのような通信デバイスを指すために用語モバイルデバイス又はＵＥを使用する。コアネットワーク（すなわちＬＴＥの場合におけるＥＰＣ）は、他のものの中で、加入者管理、モビリティ管理、課金、セキュリティ、及びセル／セッション管理のための機能をホストし、通信デバイスに対し、インターネットなどの外部ネットワークへの接続を提供する。
【０００４】
通信デバイスは、例えば、携帯電話機、スマートフォン、ユーザ機器、携帯情報端末、ラップトップ／タブレットコンピュータ、ウェブブラウザ、及び／又は電子書籍リーダなどのモバイル通信デバイスであり得る。そのようなモバイル型（又は一般的に固定型であっても）デバイスは典型的にはユーザによって操作されるが、いわゆるＩｏＴ（Internet of Things）デバイス、及び同様なＭＴＣ（machine-type communication）デバイスがネットワークを接続することもできる。単純化のために、本開示は、明細書においてモバイルデバイス（又はＵＥ）を参照するが、説明された技術は、人間の入力、又はメモリに格納されたソフトウェア命令によって通信デバイスが制御されるかどうかに関係なく、データを送受信するために通信ネットワークに接続できる任意の通信デバイス（モバイル型、及び／又は一般的な固定型）で実装できることが理解される。
【０００５】
３ＧＰＰ技術レポート（ＴＲ）２３．７９９  Ｖ０．７．０は、３ＧＰＰ規格のリリース１４で計画されているＮｅｘｔＧｅｎ（５Ｇ）システムに対して可能性なアーキテクチャ及び一般的なプロシージャを記述する。３ＧＰＰは、新たな（５Ｇ）無線アクセスネットワークに対して１００ＧＨｚまでの周波数バンドの潜在的な使用も検討している。指向性ビームフォーミング及び大規模アンテナ技術は、特定の高周波数帯（例えばミリ波帯）に関連付けられる厳しいチャネル減衰特性を克服するためにも使用され得る。用語‘大規模アンテナ’は、アレイ状に配置された多数のアンテナ素子（例えば１００以上）を有するアンテナを指す。実際、そのような大規模アンテナは、いくつかのユーザと同時に通信するために使用されることがあり、このため、マルチユーザＭＩＭＯ（multiple-input and multiple-output）通信が容易となる。基地局（この場合、送受信ポイント（ＴＲＰ：transmission and reception point）とも呼ばれる）は、関連する指向性ビームを使用して複数のＵＥと同時に通信するためのそれぞれのビームを形成するように構成され得る。
【０００６】
ビームフォーミングは、セル特定チャネル、例えば基準信号（ＲＳ：reference signal）及びシステム情報の送信のためにＮＲにおいて使用される。マルチプルビームセルについて、ビーム数及びそのセルにおけるビームパターンは、ビームコンフィグレーション（Beam Configuration）により定義されることができる。このように、異なるセルは、各セルのカバレッジ要求に依存して異なるビームコンフィグレーションを有する。セルビームを区別するために、各ビームはそのセルにおいてユニークな識別子（例えばビームＩＤ）を有する。
【０００７】
セルレベルのモビリティを可能とするため、無線リソース管理（ＲＲＭ：Radio Resource Management）測定は、特定セルのセル品質の測定を導出するために、接続アクティブ状態のＵＥによって実施される必要がある。そのようなセルレベルのモビリティのためのＲＲＭ測定は、特定のセルにおけるネットワークビームコンフィグレーション（例えばビームの数）及びＵＥビームコンフィグレーションに関係なく、共通のフレームワークに基づいて実施される必要がある。
【０００８】
しかしながら、セル品質測定を得るため、及び特にセル品質が基づくべきビームを選択するための現在の提案は理想的ではなく、セルの実際の品質を正確に反映しない一貫性のない測定につながる可能性が高い。そのような一貫性がなく、かつ潜在的に不正確な測定は、測定リポートのトリガ、ピンポンハンドオーバのリスク、及び／又は他の望ましくない結果を増加せる可能性があるため、望ましくない。
【０００９】
従って、セルレベル品質の導出のためのビームの選択、セル品質の導出し、及び／又はセルレベル品質及び／又は他のビームに関連する測定の報告のための、改良された方法に対する要求がある。
【発明の概要】
【発明が解決しようとする課題】
【００１０】
本発明は、上記要求の１以上を少なくとも部分的に満たす装置、及び関連する方法を提供しようとする。
【００１１】
本発明者らは、単一ビーム及び複数ビームに基づくセル品質導出のためのいくつかのオプションを考え、それらの多くは理想的ではないことに気が付いた。本発明者らは、例えば、１つのベストビームオプション、Ｎベストビームオプション、検出された全てのビームオプション、及びしきい値を超えたビームオプションを考えた。
【００１２】
しかしながら、測定のためにビームを選択するそれら全てのオプションは、欠点があることが発見され、従ってセルレベル品質の正確なインディケーションを提供しない。
【００１３】
ベストビームオプションにおいて、特定のセルに対するセル品質測定は、そのセルにおけるベストな（品質が最も高い）ビームの品質に基づく。しかしながら、これは時にセル品質の良好なインディケーションを提供し得るものの、チャネル変動により、特に周波数が高い場合において、ＵＥは、ベストビームが頻繁に変化することを発見することがある。これは、導出したセル品質のゆらぎをもたらし、測定リポートのトリガ及びピンポンハンドオーバのリスクを増加させる可能性がある。
【００１４】
Ｎベストビームオプションにおいて、特定のセルに対するセル品質測定は、そのセルにおけるＮ個のベストビームの選択の品質に基づく。これは、ベストビームオプションのいくつかの問題に対処できるものの、Ｎ個のベストビームの選択は、全ての選択されたビームが同様な良好な品質であることを保証しない。例えば、異なるビーム品質のＮ個のベストビームの場合、それらＮ個のビームの品質測定の結合（例えば平均化）は、結果としてセル品質の過小評価となり得る。さらに、適切なＮの値の設定は複雑である。
【００１５】
全ての検出されたビームオプションにおいて、特定のセルに対するセル品質測定は、そのセルにおける全てのビームのそれぞれの品質に基づく。この場合、しかしながら、ＵＥは、良好な品質、及び悪い品質のビームの混在に基づいてセル品質を導出する可能性がある。その結果、全てのビームの結合は、実際のセル品質の著しい過小評価につながる可能性がある。
【００１６】
しきい値を上回るビームオプションにおいて、特定のセルに対するセル品質測定は、そのセルにおいて所定のしきい値を超える測定品質を示すビームの選択の品質に基づく。この場合、しかしながら、セル品質の良好なインディケーションを提供することは、しきい値の適切な設定に依存し、それは簡単ではない。例えば、より高いしきい値が、セルの端のＵＥよりもセルの中心に近いＵＥに対して適切であることがある。
【００１７】
上記問題の１以上を少なくとも部分的に軽減するため、本発明者らは、上記オプションの１つ以上に対して少なくともいくらかの利益を提供しようとする上記オプションのいくつかの代替案／バリエーションを提案した。
【課題を解決するための手段】
【００１８】
本発明の一態様では、通信デバイスによって実行される方法であって、ａ）セルの複数のビームのそれぞれに対してそれぞれのビーム品質を測定し、ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、ｄ）前記第２のグループのＭ個のビームの測定ビーム品質に基づいて前記セルのセル品質を導出する、方法が提供される。
【００１９】
本発明の一態様では、通信デバイスにより実行される方法であって、ａ）前記通信デバイスのサービングセルにおいて、該サービングセルの複数のビームのそれぞれに対してそれぞれのビーム品質を測定し、ｂ）前記サービングセルの前記複数のビームのうち、Ｎ個のビームを有するサービングセルビームのグループを識別し、ここで、前記サービングセルビームのグループの各ビームは、第１のセルにおける前記測定から生じるＮ個の最良の測定ビーム品質にある測定ビーム品質を示し、かつサービングセルビームのグループは、前記サービングセルビームのグループにおいて最良の測定ビーム品質を示すベストサービングセルビームを有し、ｃ）前記サービングセルの隣接セルにおいて、該隣接セルの複数のビームのそれぞれに対してそれぞれのビーム品質を測定し、ｄ）前記隣接セルの複数のビームのうち、Ｎ個のビームを有する隣接セルビームのグループを識別し、ここで、前記隣接セルビームのグループの各ビームは、隣接セルの測定から生じるＮ個の最良の測定ビーム品質にある測定ビーム品質を示し、かつ、前記隣接セルビームのグループは、前記隣接セルビームのグループにおいて最良の測定品質を示すベスト隣接セルビームを有し、ｅ）前記ベストサービングセルビームの測定品質を前記ベスト隣接セルビームの測定品質とを比較し、前記ベストサービングセルビームとベスト隣接セルビームとの間で最も低い測定品質を識別し、ｆ）前記隣接セルビームのグループから、測定ビーム品質が、前記識別された最も低い測定品質よりあらかじめ設定されたオフセットだけ低い品質以上の測定品質を有するＭ個のビームを有する隣接セルビームの更なるグループを選択し、ｇ）前記隣接セルビームの更なるグループのＭ個のビームの測定ビーム品質に基づいて前記隣接セルの測定品質を導出する、方法が提供される。
【００２０】
本発明の一態様では、通信デバイスによって実行される方法であって、ａ）第１のセルにおいて、該第１のセルの複数のビームのそれぞれに対しそれぞれのビーム品質を測定し、ｂ）前記第１のセルの複数のビームのうち、Ｎ個のビームを有する第１のセルビームのグループであって、該第１のセルビームのグループのビームのそれぞれは、前記第１のセルにおける測定から生じるＮ個の最良の測定ビーム品質であるそれぞれの測定ビーム品質を示す第１のセルビームのグループを識別し、ｃ）少なくとも１つの第２のセルにおいて、該少なくとも１つの第２のセルの複数のビームのそれぞれに対しそれぞれのビーム品質を測定し、ｄ）前記少なくとも１つの第２のセルの複数のビームのうち、Ｎ個のビームを有する少なくとも１つの第２のセルビームのグループであって、該少なくとも１つの第２のセルビームのグループのビームのそれぞれは、前記少なくとも１つの第２のセルにおける測定から生じるＮ個の最良の測定ビーム品質であるそれぞれの測定ビーム品質を示す第２のセルビームのグループを識別し、ｅ）前記第１のセルビームのグループ及び前記少なくとも１つの第２のセルビームのグループから、Ｍ個のビームを有する更なるビームのグループであって、該更なるグループのビームのそれぞれは、前記第１のセル及び前記少なくとも１つの第２のセルにおける測定から生じるＭ個の最良の測定ビーム品質であるそれぞれの測定ビーム品質を示す更なるグループを選択し、ｆ）前記更なるグループ内の前記第１のセルのビームの測定ビーム品質に基づいて前記第１のセルのセル品質を導出し、ｇ）前記更なるグループ内の前記少なくとも１つの第２のセルのビームの測定ビーム品質に基づいて前記少なくとも１つの第２のセルのセル品質を導出する、方法が提供される。
【００２１】
本発明の一態様では、基地局により実行される方法であって、ａ）少なくとも１つのＵＥにメッセージを送信し、複数のビームが提供される少なくとも１つのセルにおいてセル品質測定を実行させるように、前記少なくとも１つのＵＥを構成し、ｂ）前記ＵＥから、上記した何れかの態様の方法を使用して、少なくとも前記ビームの選択に対するビーム品質の測定に基づいて導出された、前記少なくとも１つのセルに対する少なくとも１つのセル品質を有する測定リポートを受信する、方法が提供される。
【００２２】
本発明の一態様では、コントローラとトランシーバとを有し、前記コントローラは、ａ）セルの複数のビームのそれぞれに対してそれぞれのビーム品質を測定し、ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、ｄ）前記第２のグループのＭ個のビームの測定ビーム品質に基づいて前記セルのセル品質を導出する、ことを動作可能である通信デバイスが提供される。
【００２３】
本発明の一態様では、コントローラとトランシーバとを有し、前記コントローラは、ａ）前記通信デバイスのサービングセルにおいて、該サービングセルの複数のビームのそれぞれに対してそれぞれのビーム品質を測定し、ｂ）前記サービングセルの前記複数のビームのうち、Ｎ個のビームを有するサービングセルビームのグループを識別し、ここで、前記サービングセルビームのグループの各ビームは、第１のセルにおける前記測定から生じるＮ個の最良の測定ビーム品質にある測定ビーム品質を示し、かつサービングセルビームのグループは、前記サービングセルビームのグループにおいて最良の測定ビーム品質を示すベストサービングセルビームを有し、ｃ）前記サービングセルの隣接セルにおいて、該隣接セルの複数のビームのそれぞれに対してそれぞれのビーム品質を測定し、ｄ）前記隣接セルの複数のビームのうち、Ｎ個のビームを有する隣接セルビームのグループを識別し、ここで、前記隣接セルビームのグループの各ビームは、隣接セルの測定から生じるＮ個の最良の測定ビーム品質にある測定ビーム品質を示し、かつ、前記隣接セルビームのグループは、前記隣接セルビームのグループにおいて最良の測定品質を示すベスト隣接セルビームを有し、ｅ）前記ベストサービングセルビームの測定品質を前記ベスト隣接セルビームの測定品質とを比較し、前記ベストサービングセルビームとベスト隣接セルビームとの間で最も低い測定品質を識別し、ｆ）前記隣接セルビームのグループから、測定ビーム品質が、前記決定された最も低い測定品質よりあらかじめ設定されたオフセットだけ低い品質以上の測定品質を有するＭ個のビームを有する隣接セルビームの更なるグループを選択し、ｇ）前記隣接セルビームの更なるグループのＭ個のビームの測定ビーム品質に基づいて前記隣接セルの測定品質を導出する、ことを動作可能である通信デバイスが提供される。
【００２４】
本発明の一態様では、コントローラとトランシーバとを有し、前記コントローラは、ａ）第１のセルにおいて、該第１のセルの複数のビームのそれぞれに対しそれぞれのビーム品質を測定し、ｂ）前記第１のセルの複数のビームのうち、Ｎ個のビームを有する第１のセルビームのグループであって、該第１のセルビームのグループのビームのそれぞれは、前記第１のセルにおける測定から生じるＮ個の最良の測定ビーム品質であるそれぞれの測定ビーム品質を示す第１のセルビームのグループを識別し、ｃ）少なくとも１つの第２のセルにおいて、該第２のセルの複数のビームのそれぞれに対しそれぞれのビーム品質を測定し、ｄ）前記少なくとも１つの第２のセルの複数のビームのうち、Ｎ個のビームを有する少なくとも１つの第２のセルビームのグループであって、該少なくとも１つの第２のセルビームのグループのビームのそれぞれは、前記少なくとも１つの第２のセルにおける測定から生じるＮ個の最良の測定ビーム品質であるそれぞれの測定ビーム品質を示す第２のセルビームのグループを識別し、ｅ）前記第１のセルビームのグループ及び前記少なくとも１つの第２のセルビームのグループから、Ｍ個のビームを有する更なるビームのグループであって、該更なるグループのビームのそれぞれは、前記第１のセル及び前記少なくとも１つの第２のセルにおける測定から生じるＭ個の最良の測定ビーム品質であるそれぞれの測定ビーム品質を示す更なるグループを選択し、ｆ）前記更なるグループ内の前記第１のセルのビームの測定ビーム品質に基づいて前記第１のセルのセル品質を導出し、ｇ）前記更なるグループ内の前記少なくとも１つの第２のセルのビームの測定ビーム品質に基づいて前記少なくとも１つの第２のセルのセル品質を導出する、ことを動作可能である通信デバイスが提供される。
【００２５】
本発明の一態様では、コントローラとトランシーバとを有し、前記コントローラは、前記トランシーバを制御し、ａ）少なくとも１つのＵＥにメッセージを送信し、複数のビームが提供される少なくとも１つのセルにおいてセル品質測定を実行させるように、前記少なくとも１つのＵＥを構成し、ｂ）前記ＵＥから、上記した方法を使用して、少なくとも前記ビームの選択に対するビーム品質の測定に基づいて導出された、前記少なくとも１つのセルに対する少なくとも１つのセル品質を有する測定リポートを受信する、ように動作可能である基地局。
【００２６】
本発明の一態様では、少なくとも１つのセルを動作する、少なくとも１つの上記基地局と、上記通信デバイスとを有する通信システムが提供される。
【００２７】
本発明の態様は、上記で述べた又は請求の範囲に列挙された態様及び可能性に従う方法を実行するためにプログラム可能プロセッサをプログラムするように動作可能な命令、及び／又は、請求項の何れかに記載された装置を提供するように適切に適合されたコンピュータをプログラムするように動作可能な命令が格納されたコンピュータプログラム読み取り可能ストレージ媒体などのコンピュータプログラム製品に及ぶ。
【００２８】
本明細書（この用語は特許請求の範囲を含む）に開示される、及び／又は図面に示される各特徴は、他の開示される特徴、及び／又は、図示される特徴とは独立して（又は組み合わせて）、本発明に組み込まれ得る。特に、限定はされないが、特定の独立請求項に従属する請求項の特徴は、任意の組み合わせで、又は個別に、その独立請求項に導入され得る。
【００２９】
特定の物理的構造を有する特定のハードウェア装置（例えば、コントローラ及びトランシーバ回路）が、本明細書に記載の様々な手順を実行するために開示されたが、本明細書に開示された方法の各ステップ、及び／又は請求項の一部を形成する方法の各ステップは、そのステップを実行するための適切な手段により実装され得る。これによれば、本発明の各方法態様は、その方法態様の各ステップを実行するためのそれぞれの手段を含む対応する装置態様を有する。
【図面の簡単な説明】
【００３０】
本発明の実施形態例が、添付の図面を参照して、単なる例としてのみ説明される。
【００３１】
【図１】図１は、通信ネットワークを概略的に示す。
【図２】図２は、図１に示される通信ネットワークのためのユーザ機器の主要コンポーネントを示すブロック図。
【図３】図３は、図１に示される通信ネットワークのための基地局の主要コンポーネントを示すブロック図。
【図４】図４は、セル品質導出の方法を示すフロー図。
【図５】図５は、図４の方法に従うビーム選択の一例を示す。
【図６】図６は、セル品質導出の別の方法を示すフロー図。
【図７】図７は、図６の方法のバリエーションに従うビーム選択の一例を示す。
【図８】図８は、セル品質導出の別の方法を示すフロー図。
【図９】図９は、図８の方法に従うビーム選択の一例を示す。
【図１０】図１０は、測定コンフィグレーションを示す簡略化されたシーケンス図。
【発明を実施するための形態】
【００３２】
概要
図１は、ユーザ機器３−１〜３−４（携帯電話機、及び／又は他のモバイルデバイス）が適切な無線アクセス技術（ＲＡＴ：radio access technology）を使用して基地局５−１〜５−４（‘ｇＮＢ’で示される）を介して互いに通信できる通信ネットワーク１を概略的に示す。５Ｇシステムにおいて基地局は送受信ポイント（ＴＲＰｓ：transmit receive points）とも呼ばれる。当業者が理解するように、図１には４つのＵＥ３と４つの基地局５とが説明のために示されているものの、システムは、実装された場合、典型的には他の基地局及びモバイルデバイスを含む。
【００３３】
各基地局５は、基地局に位置するＴＲＰ（及び／又は１以上の遠隔に位置するＴＲＰ）を介して１以上の関連するセルを運営する。この例において、単純化のために、各基地局５−１〜５−４は、単一のセル１０−１〜１０−４をそれぞれ運営する。基地局５は、コアネットワーク７に（例えば、適切なゲートウェイ、及び／又はユーザプレーン／制御機能を介して）接続され、近隣基地局も（直接に、又は適切な基地局ゲートウェイを介して）互いに接続される。コアネットワーク７は、他のものの中で、制御プレーンマネージャエンティティ、及びユーザプレーンマネージャエンティティ、基地局５と他のネットワーク（インターネットなど）及び／又はコアネットワークの外部でホストするサーバとの接続を提供する１以上のゲートウェイ（ＧＷｓ：gateways）を含み得る。
【００３４】
ＵＥ３は、適切なセル（その位置、及び場合によっては例えば信号状況、サブスクリプションデータ、及び／又は受容能力などの他の要因に依存する）に、そのセルを運営する基地局５と無線リソース制御（ＲＲＣ：radio resource control）接続を確立することによって接続する。ＵＥ３及び基地局５（及びネットワークにおける他の送信ポイント）は、使用されるＲＡＴに依存する適切なエアインタフェースを介して通信する。ＵＥ３は、いわゆる非アクセス層（ＮＡＳ：Non-Access-Stratum）シグナリングを使用してコアネットワークノードと通信し、非アクセス層シグナリングは、ＵＥ３と適切なコアネットワークノードとの間で、ＵＥ３を取り扱う基地局５／ＴＲＰによって中継される。
【００３５】
この例において、各基地局５は、各基地局５のセル内のさまざまなＵＥと通信するための複数の指向性ビームを提供するため、関連するアンテナアレイ（例えば大規模アンテナ）を動作させる。各ビームは、異なる方向（仰角（方位角）を含む３次元において）に広がる（送信される）ように配置される。各ビームは、（少なくともそのセルにおいて）ユニークな関連する識別子（例えば適切な‘ビームＩＤ’）を有する。図１は、明確性の理由で単一の基地局５−１が提供するビームの選択のみを示しているが、実際には、各基地局５は、１以上の関連するセルを形成する独自のビームを提供する。
【００３６】
セルにおいて使用されるビームコンフィグレーションは、ビームの数、及び関連するビームパターンを定義する。
【００３７】
各ＵＥ３は、測定することができる各セル１０について、そのセル１０からのビームの選択に基づいてセル品質レベル測定を導出するように構成される。
【００３８】
有利には、特定のセルについてのセル品質レベル導出に使用されるビームは、そのセルについてのベストビームの初期グループ（単一のベストビームを有し得る）から、そのセル１０又は他のセル１０内でベストビームの品質測定（例えば基準信号受信電力（ＲＳＲＰ：reference signal received power））に基づいて選択される。
【００３９】
一例において、特定のセルについてのセル品質レベル導出に使用されるビームは、そのセルについてベストな（測定品質が最も高い）ビームの初期グループ（単一のベストビームを有し得る）から、品質測定が、そのセル１０内のベストビームについての品質測定に等しい上限と、そのセル１０内のベストビームについての品質測定からあらかじめ設定されたオフセットだけ低い品質に等しい下限とを有する範囲にあるかどうかに基づいて選択される。
【００４０】
一例において、特定のセル１０についての品質レベル導出は、有利には、そのセルに１０内の異なるビーム間の相関を考慮する。
【００４１】
他の例において、特定の隣接する又はターゲットのセル１０について、ＵＥ３は、有利には、サービングセル１０内のベストビームの測定品質と、隣接セル又はターゲットセル１０内のベストビームの測定品質との比較を実施する。ＵＥ３は、２つの比較されるビームのうち最も低い品質を有するビームを識別する。ＵＥ３は、その後、ビーム選択品質範囲の下限を、識別された品質が最も低いビームの測定品質からあらかじめ設定されたオフセットだけ低い品質に設定する。特定のセルについてのセル品質レベル導出に使用されるビームは、そのセルのベストビームの初期グループ（単一のベストビームを有し得る）から、品質測定が下限を上回っているか否かに基づいて選択される。
【００４２】
他の例において、ＵＥ３は、複数の測定されたセルからのビームの初期グループを統合し、全ての統合されたビームからベストビームのグループを選択する。このベストビームのグループにおける選択されたビームは、ベストビームの測定品質よりあらかじめ設定されたオフセットだけ低い品質を有するビームであり得る。特定セルについてのセル品質レベル導出は、その後、複数のセルについてのベストビームのグループに存在するそのセルについてのビームに基づいて実施される。
【００４３】
ＵＥ
図２は、図１に示されるユーザ機器３（例えば携帯電話機又は他のユーザ機器）の主要コンポーネントを示すブロック図である。
【００４４】
図示されるように、ＵＥ３は、１以上のアンテナ３３を介して基地局５に信号を送信し、基地局５から信号を受信するように動作可能なトランシーバ回路３１を有する。ＵＥ３は、ＵＥ３の動作を制御するコントローラ３７を有する。コントローラ３７は、メモリ３９に関連付けられ、トランシーバ回路３１に結合される。その動作には必ずしも必要ではないものの、ＵＥ３は、当然、通常の携帯電話機３の通常の機能（ユーザインタフェース３５など）を全て有することができ、これは、必要に応じて、ハードウェア、ソフトウェア、及びファームウェアの１つ又は組み合わせによって提供され得る。ソフトウェアは、例えば、メモリ３９にインストールされ、及び／又は、通信ネットワークを介して、若しくはリムーバブルデータストレージデバイス（ＲＭＤ：removable data storage device）からダウンロードされ得る。
【００４５】
コントローラ３７は、この例においてはメモリ３９に格納されたプログラム命令又はソフトウェア命令によって、ＵＥ３の全体的な動作を制御するように構成される。図示されるように、それらソフトウェア命令は、他のものの中で、オペレーティングシステム４１、通信制御モジュール４３、ビーム測定モジュール４４、ビーム選択モジュール４５、フィルタリングモジュール４６、セル品質導出モジュール４７、及び測定報告モジュール４９を含む。
【００４６】
通信制御モジュール４３は、ＵＥ３とサービング基地局５（並びに、更なるＵＥ及び／又はコアネットワークノードなどの、基地局５に接続された他の通信デバイス）との間の通信を制御するように動作可能である。
【００４７】
ビーム測定モジュール４４は、（サービングセル及び／又は隣接セルにおける）ビームの検出を担当し、検出したビームの品質測定（例えば基準信号受信パワー（ＲＳＲＰ））を実施する。ビーム選択モジュール４５は、ベストビームの初期選択、及び、セル品質測定の導出において使用される、最初に選択されたビームのグループからの２次選択を実施することを担当する。フィルタリングモジュール４６は、レイヤ１（Ｌ１）及びレイヤ３（Ｌ３）タイプフィルタリングを実施することを担当する。セル品質導出モジュール４７は、選択されたビームに対するセル品質の導出を担当する。測定報告モジュール４９は、セル品質に関連する情報を含む測定リポートを生成し、測定リポートを基地局５に送信することを担当する。
【００４８】
基地局
図３は、図１に示される基地局５の主要コンポーネントを示すブロック図である。図示されるように、基地局５は、１以上のアンテナ５３（例えば、アレイアンテナ／大規模アンテナ）を介して通信デバイス（携帯電話機３／ユーザ機器など）に信号を送信し、通信デバイスから信号を受信するトランシーバ回路５１、及び、ネットワークノード（例えば他の基地局及び／又はコアネットワーク７のノード）に信号を送信し、ネットワークノードから信号を受信するネットワークインタフェース５５を有する。基地局５は、基地局５の動作を制御するコントローラ５７を有する。コントローラ５７は、メモリ５９に関連付けられる。ソフトウェアは、例えば、メモリ５９にプレインストールされ、及び／又は通信ネットワーク１を介して、又はリムーバブルデータストレージデバイス（ＲＭＤ）からダウンロードされ得る。コントローラ５７は、この例では、メモリ５９に格納されたプログラム命令又はソフトウェア命令によって、基地局５の全体的な動作を制御するように構成される。図示されるように、それらソフトウェア命令は、他のものの中で、オペレーティングシステム６１、通信制御モジュール６３、ビーム制御モジュール６４、及び測定構成モジュール６６を含む。
【００４９】
通信制御モジュール６３は、基地局５と、ＵＥ３及び基地局５に接続される他のネットワークエンティティとの間の通信を制御するように動作可能である。通信制御モジュール６３は、下りリンクユーザトラヒックの個別のフローを（関連するデータ無線ベアラを介して）制御し、例えばコアネットワークサービス及びＵＥ３のモビリティのための制御データ（全般的な（ＵＥに特定されない）システム情報及び基準信号も含む）を含む、この基地局５に関連付けられた通信デバイスに送信される制御データを制御する。
【００５０】
ビーム制御モジュール６４は、基地局５のセル（又は複数セル）内の各ＵＥ３の関連ビームを管理することを担当する。これは、例えば、セルを追加し、削除する（例えばＵＥ３により提供される信号測定、ＵＥ３のモビリティ、及び／又は負荷情報などのセルに関連する他の情報に基づいて）ことを含む。
【００５１】
測定構成モジュール６６は、ＵＥ３の近辺におけるビーム（例えば基地局５及び／又は隣接基地局により運営されるセル／ビーム）に基づいて取得された、セル品質測定（及び／又は、例えば相関計算などの関連情報）を実施し、報告するためにＵＥ３を構成することを担当する。測定構成モジュール６６は、特定のモバイルデバイス３に適切な測定構成を生成して送信し、関連する測定リポートを受信することにより、セル品質測定（及び／又は関連情報）を取得する。測定リポートは、例えば、リポートを提供するＵＥ３が関与するモビリティ、及び／又はビーム構成手順を実行する場合に使用され得る。
【００５２】
上記では、モバイルデバイス３及び基地局５は、理解を容易にするためにいくつかの個別のモジュール（通信制御もジュール、及びビーム構成／制御モジュールなど）を有するとして説明された。これらモジュールは、いくつかの適用では、例えば既存のシステムが本発明を実施するために変更された場合にこの方法で提供され得るが、他の適用において、例えば最初から本発明の機能を念頭において設計されたシステムにおいて、これらモジュールは、全体の動作システム又はコードに組み込まれてもよく、従って、これらモジュールは個別のエンティティとして認識できなくてもよい。これらモジュールは、また、ソフトウェア、ハードウェア、ファームウェア、又はそれらの組み合わせにおいて実装されてもよい。
【００５３】
より詳細な説明が、セル品質が導出されることができるいくつかの方法で与えられる（図４−９を参照して）。
【００５４】
セルレベル品質の導出のためのベストビーム選択
（Ａ）セル品質導出（セルごとのビーム選択）においてビーム相関が考慮されない
図４は、ビーム相関が考慮されないセル品質導出の方法を例のみのために示すフロー図である。
【００５５】
図４に示されるように、初めに、特定のセル１０に対して、ＵＥ３は、Ｓ４１０においてそのセル１０内のビームを検出し、Ｓ４１２において、検出されたビームにＬ１フィルタリングを実施する。
【００５６】
Ｓ４１４において、ＵＥ３は、特定のセル１０に対して、そのセル１０で検出されたビームからベスト品質を持つ（例えば測定ＲＳＲＰが最も高い）とみなされるＮ個のビーム（Ｎは１の場合もある）を選択する。ＵＥ３がセル１０においてＮ又はそれより多いビームを検出した場合、ＵＥ３はＮ個のベストビームのみを選択し得る。ＵＥ３がセル１０においてＮ又はそれより少ないビームを検出した場合、ＵＥ３は検出したビームの全てを選択してもよい。
【００５７】
Ｓ４１６において、ＵＥ３は、特定のセル１０に対し、選択されたＮ個のベストビームに対してＬ３フィルタリングを実施する。Ｓ４１８において、ＵＥ３は、選択されたＮ個のベストビームから、ベストな（品質が最も高い）ビームの測定ＲＳＲＰと、ベストな（品質が最も高い）ビームの測定ＲＳＲＰよりあらかじめ設定されたオフセット（ｄＢ単位）少ない品質との間の設定された範囲内にあるＭ個（ＭはＮより大きくない）のビームを選択する。
【００５８】
Ｓ４２０において、ＵＥは、設定された範囲にある測定品質を有する、選択されたＭ個のビームのＲＳＲＰ測定を組み合わせることにより、セル品質の尺度を導出する。この導出は、任意の適切な方法で、例えば、平均、重み付け総和、及び／又は選択されたＭ個のビームのＲＳＲＰ測定の最大値に基づいて行われ得る。
【００５９】
Ｓ４２２のフィードバックループにより示されるように、ＵＥ３は、この手順を各セルに対して繰り返す。
【００６０】
図５は、図４の方法に従う、Qbestbeam-offsetにより与えられる下限を有するビーム品質範囲内のＭ個のベストビーム（セルあたり）のＵＥビーム選択を示す。
【００６１】
ここで、Qbestbeamは、セル内のベストビーム（例えばＲＳＲＰ最大）から得られるビーム品質測定値であり、offsetは、Qbestbeamを下回るｄＢ単位の量（例えば１ｄＢ、２ｄＢ）である。
【００６２】
図５に示される例において、各セル（セル＃１及びセル＃２）において初期選択されたビームの数ＮはＮ＝３であり、Qbestbeam測定値はＲＳＲＰ＝５ｄＢｍ（双方のセルにおいて）であり、offset＝２ｄＢ（双方のセルにおいて）である。従って、ＵＥは、ベストビームと、５ｄＢｍから３ｄＢｍまでの間のビーム品質範囲に収まり、かつ初期選択されたＮ個のビームの一部を形成する最大Ｍ−１個のビームとを選択する。
【００６３】
セル＃１において、４つのビームは、５ｄＢｍから３ｄＢｍの範囲にあり（それぞれ、ＲＳＲＰ＝５ｄＢｍ、４．５ｄＢｍ、４ｄＢｍ、及び３ｄＢｍを有する）、従って、３つの初期選択されたビーム（ＲＳＲＰ＝５ｄＢｍ、４．５ｄＢｍ、及び４ｄＢｍを有する）全てが、Ｍ個のベストビームの一部として選択される（すなわちＭ＝Ｎ＝３）。セル＃２において、ベストビームのみが５ｄＢｍから３ｄＢｍの範囲にあり（ＲＳＲＰ＝５ｄＢｍを有する）、従って、初期選択されたビーム（ＲＳＲＰ＝５ｄＢｍを有する）１つのみがＭ個のベストビームとして選択される。
【００６４】
（Ｂ）ビーム相関がセル品質導出（セルごとのビーム選択）において考慮される。
図６は、ビーム相関が考慮されるセル品質導出の方法を例のみのために示すフロー図である。
【００６５】
図６に示されるように、方法は、図４の方法と同様である。図４を参照して説明される方法と同様に、初めに、ＵＥ３は、特定のセル１０に対して、Ｓ６１０においてそのセル１０内のビームを検出し、Ｓ６１２において、検出されたビームにＬ１フィルタリングを実施する。
【００６６】
しかしながら、図４の方法とは違い、ＵＥ３は、Ｓ６２４において、選択されたＮ個のビーム間の相互相関の度合いを決定し、その相関の関数を計算する。相関の関数は、例えば、下記を提供し得る。
ｉ）Ｎ個のベストビーム内で低相関を示すビームの数
ｉｉ）Ｎ個のベストビームの異なるペアごとのそれぞれの相関係数（例えば、［Ｎ×（Ｎ−１）／２］個の係数）、及び／又は、
ｉｉｉ）最も強いビーム（例えばビーム１）と、ビーム１と相関が低い最も強いビームとの間のＲＳＲＰの差分（例えば、ビーム１と、ビーム１との相関が所定の相関しきい値を下回るビーム（ビームｊ）との間のＲＳＲＰの最小の差分、すなわち相関（ビームｊ，ビーム１）＜しきい値として、ｍｉｎ｛ＲＳＲＰ（ビーム１）−ＲＳＲＰ（ビームｊ）｝。
【００６７】
上記関数の出力は、必要に応じて、Ｓ６２６におけるＬ３フィルタリングの対象となり得る。
【００６８】
相互相関の度合いと並行して、Ｓ６１４において、ＵＥ３は、特定のセル１０に対して、そのセル１０で検出されたビームからベスト品質を持つ（例えば測定ＲＳＲＰが最も高い）とみなされるＮ個のビーム（Ｎは１の場合もある）を選択する。ＵＥ３がセル１０においてＮ又はそれより多いビームを検出した場合、ＵＥ３はＮ個のベストビームのみを選択し得る。ＵＥ３がセル１０においてＮ又はそれより少ないビームを検出した場合、ＵＥ３は検出したビームの全てを選択してもよい。
【００６９】
Ｓ６１６において、ＵＥ３は、特定のセル１０に対し、選択されたＮ個のベストビームに対してＬ３フィルタリングを実施する。Ｓ６１８において、ＵＥ３は、選択されたＮ個のベストビームから、測定ＲＳＲＰが、ベストな（品質が最も高い）ビームの測定ＲＳＲＰと、ベストな（品質が最も高い）ビームの測定ＲＳＲＰよりあらかじめ設定されたオフセット（ｄＢ単位）少ない品質との間の設定された範囲内にあるＭ個（ＭはＮより大きくない）のビームを選択する。
【００７０】
Ｓ６２０において、ＵＥは、設定された範囲にあるＲＳＲＰを有する、選択されたＭ個のビームのＲＳＲＰ測定を、Ｓ６２４におけるビーム間の相互相関関数計算の出力（Ｌ３フィルタリングされている可能性がある）を考慮して結合することにより、セル品質の尺度を導出する。この導出は、例えば、平均、重み付け総和、及び／又は選択されたＭ個のビームのＲＳＲＰ測定の最大値に基づいて、任意の適切な態様で実行され得る。
【００７１】
Ｓ６２２におけるフィードバックループにより示されるように、ＵＥ３は、この手順を各セルに対して繰り返す。
【００７２】
図７は、図６に示される方法の有益な変形に従うＵＥビーム選択を示す。この変形例において、Ｓ６１８で実施される、特定のターゲットセル１０におけるビームの初期選択グループからのビームの選択は、ＵＥ３にサービスを提供する現在のセルにおけるベストビームの品質を考慮して、各隣接セルにおけるよりセル品質を示すビームの選択を提供し、従って、改善されたセル品質測定を提供する。
【００７３】
詳細には、Ｓ６１８において、ＵＥ３は、サービングセル（例えばセル１０−１）及び特定のターゲット隣接セル（例えばセル１０−２）のベストビームの測定ＲＳＲＰの比較を行うことができ、比較されるビームの最も低いＲＳＲＰよりもあらかじめ設定されたオフセット（ｄＢ単位）だけ低い測定に基づく下限を有する範囲を、その隣接セルでＭ個のベストビームの選択の基準として使用することができる。
【００７４】
この場合、特定の隣接セルのベストビームに加えて、ＵＥ３は、Ｎ個のベストビームからの選択において、比較されるビームの最も低いＲＳＲＰよりもあらかじめ設定されたオフセット（ｄＢ単位）だけ低い品質を上回る、測定ＲＳＲＰを有する他のビームを含む。
【００７５】
選択範囲の下限は下記のように表される。
Minimum(Qbestbeam(ターゲット), Qbestbeam(サービング)) - offset
ここで、Qbestbeam（ターゲット）は、隣接（‘ターゲット’）セルにおけるベストビームから取得されたビーム品質測定（例えば最大ＲＳＲＰ）であり、Qbestbeam（サービング）は、現在の（‘サービング’）セルにおけるベストビームから取得されたビーム品質測定（例えば最大ＲＳＲＰ）であり、offsetは、Qbestbeamを下回るｄＢ単位の量（例えば１ｄＢ、２ｄＢ）である。
【００７６】
図７に示される例において、サービングセル（セル＃１）及びターゲットセル（セル＃２）において初期選択された数ＮはＮ＝３である。サービングセルにおけるQbestbeam測定はＲＳＲＰ＝５ｄＢｍであり、ターゲットセルにおけるQbestbeam測定は８ｄＢｍである。双方のセルにおいて、offset＝２ｄＢである。
【００７７】
サービングセルにおいて、４つのビームは、５ｄＢｍから３ｄＢｍの範囲にあり（それぞれＲＳＲＰ＝５ｄＢｍ、４．５ｄＢｍ、４ｄＢｍ、及び３ｄＢｍを有する）、従って、初期選択された３つのビームの全て（ＲＳＲＰ＝５ｄＢｍ、４．５ｄＢｍ、及び４ｄＢｍを有する）は、Ｍ個のベストビームの一部として選択される（すなわちＭ＝Ｎ＝３）。
【００７８】
隣接ターゲットセルにおいて、品質が最良のビームは、サービングセルのベストビームのＲＳＲＰ（５ｄＢｍ）よりも大きい、測定ＲＳＲＰ（８ｄＢｍ）を有する。従って、ビーム選択の範囲の下限は、サービングセルのＲＳＲＰ５ｄＢｍに基づいて、３ｄＢｍとなる。従って、隣接ターゲットセルにおける最良の品質のビームに加えて、更に２つビーム（ＲＳＲＰ＝４ｄＢｍ、及び３．５ｄＢｍを有する）が、セル品質導出において使用されるために選択される。
【００７９】
この例において、隣接ターゲットセルの最良の品質のビームが、選択範囲の下限を決定するための基準として使用され、ベストビームのみが（選択範囲の下限が６ｄＢｍであったため）選択されたことがわかる。これは、セル品質の非現実的に高い測定が得られる可能性があった。
【００８０】
なお、この変形例は図６を参照して議論されたものの、本変形例は本明細書に記載される他の方法の対応するビーム選択ステップにおいて使用されてよい。
【００８１】
（Ｃ）ビーム相関がセル品質導出（測定された全てのセルからのベストビームの選択）において考慮される。
図８は、ビーム相関が考慮されるセル品質導出の方法を例のみのために示すフロー図である。
【００８２】
図６を参照して説明した方法と同様に、初めに、ＵＥ３は、特定のセル１０（セル１、２、．．．ｒ）に対して、Ｓ８１０においてそのセル１０内のビームを検出し、Ｓ８１２において、検出されたビームにＬ１フィルタリングを実施する。
【００８３】
各セル１０に対して、ＵＥ３は、Ｓ８２４において、選択されたＮ個のビーム間の相互相関の度合いを決定し、その相関の関数を計算する。相関の関数は、例えば、ターゲットセル１０のＮ個のベストビーム内で低相関を示すビームの数を示す。相関の関数は、例えば、下記を提供する。
ｉ）Ｎ個のベストビーム内で低相関を示すビームの数
ｉｉ）Ｎ個のベストビームの異なるペアごとのそれぞれの相関係数（例えば、［Ｎ×（Ｎ−１）／２］個の係数）、及び／又は、
ｉｉｉ）最も強いビーム（例えばビーム１）と、ビーム１と相関が低い最も強いビームとの間のＲＳＲＰの差分（例えば、ビーム１と、ビーム１との相関が所定の相関しきい値を下回るビーム（ビームｊ）との間のＲＳＲＰの最小の差分、すなわち相関（ビームｊ，ビーム１）＜しきい値として、ｍｉｎ｛ＲＳＲＰ（ビーム１）−ＲＳＲＰ（ビームｊ）｝。
【００８４】
上記関数の出力は、必要に応じて、Ｓ８２６におけるＬ３フィルタリングの対象となり得る。
【００８５】
相互相関の度合いと並行して、Ｓ８１４において、ＵＥ３は、各セル１０に対して、そのセル１０で検出されたビームからベスト品質を持つ（例えば測定ＲＳＲＰが最も高い）とみなされるＮ個のビーム（Ｎは１の場合もある）を選択する。ＵＥ３がセル１０においてＮ又はそれより多いビームを検出した場合、ＵＥ３はＮ個のベストビームのみを選択し得る。ＵＥ３がセル１０においてＮ又はそれより少ないビームを検出した場合、ＵＥ３は検出したビームの全てを選択してもよい。
【００８６】
Ｓ８１６において、ＵＥ３は、各セル１０に対し、選択されたＮ個のベストビームに対してＬ３フィルタリングを実施する。
【００８７】
図３及び５を参照して説明した方法とは異なり、Ｓ８１８において、ＵＥ３は、全ての測定されたセルのＲＳＲＰ結果を統合し、最良の測定ＲＳＲＰを有するＭ個のビームを選択する。これは、全てのセルにおける最良の品質のビームの測定ＲＳＲＰと、全てのセルにおける最良の品質のビームの測定ＲＳＲＰよりあらかじめ設定されたオフセット（ｄＢ単位）低い品質との間の設定された範囲にある測定ＲＳＲＰを有する全てのビームを有し得る。設定されたオフセットが使用される場合、それは、図３及び／又は図５の方法に対する設定されたオフセット値とは異なり得る（特に、図８の方法に対するＭの値は、図３及び／又は図５の方法に対するＭの値よりも大きい場合があることを考慮して）。
【００８８】
全ての測定されたセルにおけるＭ個のベストビームがサービングセルにおける最良の品質のビームを含まない場合、サービングセルからの最良の品質のビームは、Ｍ個のベストビームに属していなくても、選択される。特定の隣接セルからのベストビームも、（必要に応じて）Ｍ個のベストビームになくても、選択に含まれる。
【００８９】
Ｓ８２０において、ＵＥ３は、各セル（セルｉ）について、そのセル（セルｉ）おいて選択されたＭｉ個のビームの品質測定に基づいて、そのセルに対するＳ８２４におけるビーム間の相互相関関数計算の出力（Ｌ３フィルタリングされている可能性がある）を考慮して、セル品質の尺度を導出する。この導出は、例えば、平均、重み付け総和、及び／又は選択されたＭ個のビームの品質測定の最大値に基づいて、任意の適切な態様で実行され得る。
【００９０】
従って、図８の方法においてオフセットが使用される場合、Ｓ８１８におけるビーム選択は、Qbestbeam（全て）- offsetで与えられる下限を有するビーム品質範囲のＭ個のベストビーム（全ての測定されたセルにおける全ての検出されたビームの中から）を選択することがわかる。ここで、Qbestbeam（全て）は、全ての測定されたセルにおいて検出された全てのビームの中のベストビーム（例えばＲＳＲＰ最大）から得られるビーム品質測定であり、オフセットは、Qbestbeam（全て）を下回るｄＢ単位の量（例えば１ｄＢ、２ｄＢ）である。
【００９１】
なお、この下限からQbestbeam（全て）までの選択範囲内のＭ個のベストビームの選択に加えて、サービングセルの最良な品質のビームは、Ｍ個のベストビームに属していなくても、選択に含まれる。
【００９２】
図９は、オフセットが使用されず、代わりにＳ８１８にて所定の数Ｍ個のビームが選択される、図８の方法に従うＵＥビーム選択を示す。
【００９３】
図９に示される例において、２つのセルのみがあり、各セル（セル＃１及びセル＃２）における初期選択されるビームの数ＮはＮ＝４であり、Ｍ＝６である。セル＃１における測定値QbestbeamはＲＳＲＰ＝５ｄＢｍであり、セル＃２における測定値QbestbeamはＲＳＲＰ＝８ｄＢｍである。
【００９４】
セル＃１において、Ｎ（４）個の初期選択されるビームは、５ｄＢｍから３ｄＢｍの範囲にある（それぞれＲＳＲＰ＝５ｄＢｍ、４．５ｄＢｍ、４ｄＢｍ、及び３ｄＢｍを有する）。セル＃２において、Ｎ（４）個の初期選択されるビームは、８ｄＢｍから６ｄＢｍの範囲にある（それぞれＲＳＲＰ＝８ｄＢｍ、７．５ｄＢｍ、６．５ｄＢｍ、及び６ｄＢｍを有する）。従って、双方のセルの８つのビームが統合されたセットから選択されるＭ（６）個のベストビームは、セル＃２において初期選択された４つのビームの全て（すなわちＭ２＝４）と、セル＃１において初期選択された２つのベストビーム（すなわちＭ１＝２）とを含む。
【００９５】
ＵＥ３は、その後、セル#１及びセル＃２に対し、各セルにおいて選択されたビームのそれぞれの品質測定に基づいて、セル品質の尺度を導出する。
【００９６】
ビーム間の相関の計算
上記の対応する方法の何れかにおいて、ビーム間の相関を測定できるさまざまな方法がある。
【００９７】
ビーム間の相関の計算について２つの可能なオプションが、例のみのために説明される。
【００９８】
第１のオプションにおいて、２つのビーム間の相関は、相関の十分に正確な測定を提供するために、十分に長い期間と十分な数の妨害イベントにわたって推定される。これは、例えば、２つのビームのそれぞれについて、それぞれの測定（例えば、測定ＲＳＲＰ値、検出された妨害の測定数）のシーケンス間のピアソン係数を計算することによりなされ得る。
【００９９】
第２のオプションにおいて、第１のオプションに要求される平均化期間が直接に相関を測定するには長すぎる場合、相関は、プロキシ測定から推定されることができる。例えば、相関は、伝搬遅延が大きく異なるビームは相関が低いであろうという仮定に基づいて、伝搬遅延、又は各ビームのそれぞれの電力遅延プロファイルの他の特性から推定できる。各送信ビームの到来角度も考慮されることができる（特に、各ビームのＵＥ受信ビームが異なる場合）。
【０１００】
セルレベル品質の導出（一般的なケース）
セル品質が選択されたビームの品質測定から導出され得るさまざまな方法がある（上記方法について）。
【０１０１】
一般的なケースにおいて、ＵＥ３は、１以上のパラメータ：１つのセルにおいて選択されたベストビームの品質（Qbeam1，Qbeam2，．．．，QbeamM）、１つのセルにおいて選択されたベストビームの数（Ｍ）、及び／又はセルにおけるビームの相関の関数（Ｃ）、の関数として、セル品質を計算する。したがって、一般に、セル品質導出は下記のように表される。
【数１】
2020509654.tif 000003
【０１０２】
例として、関数ｆ（）は、ビーム品質（Qbeam）の平均（又は最大若しくは合計）にＭ及びＣから導出される補正項をプラスしたもの、又はQbeam、Ｍ、及びＣによりパラメータ化される想定確率分布から導出される停止確率（セル品質が所定レベルを下回っている時間の割合）の推定であり得る。
【０１０３】
Ｍ及びＣの値を参照すると、セルの信頼性は、１つのセルで選択できるビーム品質選択範囲内の最良のビームの数と共に増加する傾向があることがわかる（すなわち、Ｍと共に増加する）。逆に、セル信頼性は、Ｍ個のビーム間の相関の増加と共に減少する傾向がある（すなわち、Ｃの増加とともに減少する）。Ｃの値は、Ｍ個のビームの全ての可能なペアの間の相関係数に基づいて決定され得る（係数の数＝Ｍ×（Ｍ−１）／２）。Ｃの値は、ベストビームと他のビームのそれぞれとの間の相関係数のそれぞれに基づいて決定され得る（係数の数＝Ｍ−１）。なお、図６及び図８（例えばオプションｉ）、ｉｉ）、及び／又はｉｉｉ））を参照して説明した相関の関数も適用され得る。
【０１０４】
セルレベル品質の導出（重み付け総和を使用）
一例において、ＵＥ３は、重み付け総和に基づいてセル品質を導出できる（上記方法について）。
【０１０５】
この例において、ＵＥ３は、選択されたＭ個のベストビームをそれらの品質値に基づいて、インデックス＝１（Qbeam1）を有するビームの品質がベストビーム品質であり、インデックス＝２（Qbeam2）を有するビームが２番目に最良の品質のビームであり、などとなるようにソートする。ＵＥ３は、その後、下記ようにセルレベル品質の尺度を提供するために、全てのＭ個のビームにわたってビーム品質の重み付けされた値を加算することによりセル品質を計算する。
【数２】
2020509654.tif 000004
ここで、ｗｉはQbeamiに適用される重みである。
【０１０６】
一般に、ＵＥ３は、特定のセルにおいて最も強いビームによりサービスされることが好ましい。従って、Ｍ個のビームの総和において、各ビームの寄与を適切に重み付けするために、大きな重み（Ｗｉ）は最も強いビームに割り当てられ、小さな重みが弱いビームに割り当てられる。例えば、重みは下記式に設定されることができる。
【数３】
2020509654.tif 000005
ここで、αは１より小さい正の値を持つ設定可能なパラメータであり、従って、重みはビームインデックスｉの増加と共に減少する。
【０１０７】
変形例において、特定のビームに適用される‘重み’は、下記のように、そのビームと最も品質が高いビームとの間の相関に依存する。
【数４】
2020509654.tif 000006
ここで、βは設計可能な値であり、C1,iは、ビームインデックス＝１を有するビームと、ビームインデックスｉを有するビームとの間の相関の度合いである。従って、この例において、特定の測定されたビーム品質について、最良な品質のビームと低相関を示すビームは、最良な品質のビームと相関が高いビームより、セルレベル品質の尺度に大きく寄与する。
【０１０８】
有益には、従って、ビームが高く相関する隣接セルに対して導出されたセルレベル品質は、ビームの相関が低い隣接セルに対して導出されたセルレベル品質より低くなる。
【０１０９】
リポート
有益には、導出されたセル品質測定（上記方法の何れかにおいて）は、１以上の測定オブジェクト（セルレベル品質、選択されたベストビームの数（Ｍ）、及び／又はＭ個のベストビームについての相関係数）を有する測定リポートを使用して提供されることができる。
【０１１０】
リポートは、例えばＵＥ３が全ての測定オブジェクト（セルレベル品質、選択されたベストビームの数、及び相関係数）を測定リポートに含めることができる場合、明示的であってもよい。この場合、リポートされたセル品質は、例えばQbeamiはＲＳＲＰ測定であるとして、Ｍ個のベストビーム測定の関数（CellQuality = f(Qbeam1,…, QbeamM)）として計算され得る。
【０１１１】
リポートは、例えば、ＵＥが単にセルレベル品質オブジェクトを含める場合、明示的であってもよく、セル品質レベルは、Ｍ個のベストビーム測定、ビームの数、及びＭ個のベストビームの相関係数の関数として計算される。
【０１１２】
リポートは、例えば、明示的リポートと暗黙的リポートのハイブリッドであってもよく、その場合、ＵＥ３は、セルレベル品質オブジェクト（ここで、セル品質レベルはＭ個のベストビーム測定及びＭ個のベストビーム相関係数の関数として計算される）、及びＭ個のベストビーム測定オブジェクトの数を含めることができる。
【０１１３】
これらリポートオプションが、例のみのために、どのようにセル品質レベル測定がハンドオーバプロシージャの目的のために構成されるかを示す簡略化されたシーケンス図である図１０を参照してより詳細に説明される。
【０１１４】
図１０に示されるように、基地局５−１（この例においてソース基地局として動作する）は、Ｓ１０１０において、基地局５−１により動作するサービングセル１０−１、及び、ＵＥ３が検知できる隣接セル１０−２、１０−３、１０−４の何れかの測定を実行するのに役に立つ１以上のＵＥ３を構成する。図１０において、基地局５−１は、「measconfig」情報要素ＩＥを使用し、ＵＥ３における測定を構成するが、任意の適切なメッセージ／ＩＥが使用され得る。
【０１１５】
基地局５−１は、例えば、測定に対して適切なコンフィグレーション情報を含む１以上の測定オブジェクトＩＥを含め得る（例えばmeasconfig  ＩＥにおいて）。このコンフィグレーションは、例えば、このコンフィグレーションが有効なキャリア周波数を識別するキャリア周波数（「carrierFreq」）、キャリア周波数に適用可能なオフセット値を定義するオフセット（「offsetFreq」）、隣接セルリストから削除するセルのリスト（例えばcellsToRemoveList）、隣接セルリストにおいて追加／修正するセルのリスト（例えばcellsToAddModList）、追加／修正されるセルのリストにおける１以上のセルのための個別のオフセット（例えばa cellIndividualOffset）、セルにおいてＭベストビームを選択する場合に適用される１以上のビームオフセット（例えば、上記図４、６、及び／又は８を参照して説明した方法において）、及び／又は、初期選択されるビームの数Ｎなどのうちの１以上を含み得る。
【０１１６】
なお、測定コンフィグレーション内で、Ｎの値及びオフセット値は、セルごとに、周波数ごとに、又はＵＥごとの一般コンフィグレーションとして設定され得る。
【０１１７】
基地局５−１は、例えば、１以上のセル品質リポートトリガイベントを構成するためのコンフィグレーション情報、適切な関連するトリガしきい値、オフセット、及び／又はヒステリシス値を有する１以上のリポートコンフィグレーションＩＥ（例えばreportconfig  ＩＥ）を含めることができる（例えばmeasconfig  ＩＥにおいて）。システムが上記したようにリポートの異なるタイプを許可する場合、基地局５−１は、例えば、ＵＥ３により実行されるリポートのタイプのインディケーション（例えば、明示的、暗黙的、ハイブリッド）を有する１以上のリポートコンフィグレーションＩＥを含めることができる（例えばmeasconfig  ＩＥにおいて）。
【０１１８】
各ＵＥ３は、Ｓ１０１２において、サービングセル及び隣接セル上で、測定コンフィグレーション情報に従ってビーム品質測定を実施する。ＵＥ３は、Ｓ１０１４において、Ｓ１０１６で基地局５−１にセルレベル品質をリポートする前に、測定に基づいて（例えば上記した技術の１つを使用して）、セルレベル品質を導出する。
【０１１９】
なお、リポートは、典型的には、構成されたリポートトリガ（例えば構成されたトリガしきい値、オフセット、及び／又はヒステリシス値）に基づいてイベントトリガされる。ＵＥ３は、従って、トリガ条件（他のものの中で、セルレベル品質測定、及び構成されたリポートトリガに基づいて）をチェックし、測定リポートが送信されるか否かを決定する。
【０１２０】
上記したように、ＵＥ３は、Ｍ個のベストビームに対して実施した測定結果の関数に基づいてセルレベル品質を導出し得る。ＵＥ３は、セルレベル品質の結果を、ベストビームの数Ｍ、全ての（又は選択の）可能なビームのペア（例えばＳ１０１６−１に示されるように）について計算された相関の関数の結果Ｃ、及び場合によっては他のパラメータ（例えば上記図６及び８（例えばオプションｉ）、ｉｉ）、及び／又はｉｉｉ）））を参照して説明した相関の関数）と共に、基地局５−１にリポートすることができる。
【０１２１】
ＵＥ３は、Ｍ個のベストビームに対して実施した測定の結果、ベストビームの数Ｍ、及び全ての（又は選択の）可能なビームのペアについて計算された相関の関数の結果Ｃの関数に基づいてセルレベル品質を導出し得る。ＵＥ３は、セルレベル品質の結果を基地局５−１に（ベストビームの数Ｍ、及び計算された相関の関数の結果Ｃを個別に含むことなく）リポートし得る（Ｓ１０１６−２に示されるように）。
【０１２２】
ＵＥ３は、Ｍ個のベストビームに対して実施した測定の結果、及び全ての（又は選択の）可能なビームのペアについて計算された相関の関数の結果Ｃの関数に基づいてセルレベル品質を導出し得る。ＵＥ３は、セルレベル品質の結果を基地局５−１に、ベストビームの個数Ｍと共に（計算された相関の関数の結果Ｃを個別に含むことなく）リポートし得る（Ｓ１０１６−３に示されるように）。
【０１２３】
一般に、セルレベル品質導出、及びリポートは、独立であることができる。すなわち、Ｍ及びＣがセル品質の導出に使用される場合（暗黙的の場合）でも、Ｍ及びＣは、セル品質導出と共に明示的にリポートされることができる。
【０１２４】
ソース基地局５−１は、Ｓ１０１８において、ＵＥ３から受信した測定リポートにおいてリポートされたセルレベル品質、及び関連する無線リソース管理情報に基づいて、ＵＥ３をハンドオーバすることを決定し、適切なハンドオーバターゲット５−２を決定する。ソース基地局５−１は、Ｓ１０２０において、特定したターゲット基地局５−２に、ターゲット側でハンドオーバの準備をするために必要な情報を渡すハンドオーバリクエストメッセージを発行する。
【０１２５】
アドミッション制御は、ターゲット基地局５−２がハンドオーバの準備をし、ソース基地局５−１にハンドオーバリクエスト確認を送信する前に、ターゲット基地局５−２により実行され得る。ターゲット基地局５−２は、ハンドオーバの実行をトリガするＲＲＣメッセージ（例えばRRCConnectionReconfigurationメッセージ）を生成し、それを、Ｓ１０２２でソース基地局５−１に送信されるハンドオーバリクエスト確認に含める。ソース基地局５−１がハンドオーバリクエスト確認を受信すると、或いは下りリンクにおいてハンドオーバコマンドの送信が開始されると、データ転送が開始され得る。
【０１２６】
ソース基地局５−１は、Ｓ１０２４において、RRCConnectionReconfigurationメッセージをＵＥ３に向けて送信し、ハンドオーバの実行を指示する。ＵＥ３は、RRCConnectionReconfigurationメッセージと必要なパラメータとを受信し、従ってソース基地局５−１によりハンドオーバの実行が指示される。
【０１２７】
その後、ハンドオーバはＳ１０２６でハンドオーバ実行フェーズに進み、Ｓ１０２８でハンドオーバ完了フェーズに進む。当業者はそのようなプロシージャを熟知しており、関係差の理由のため繰り返されない。
【０１２８】
変形と代替
詳細な例示の実施形態が上記で説明された。当業者が理解するように、多くの変形及び代替が上記例示の実施形態に対してなされ得る一方で、その中で具体化される本発明から依然として利益が得られる。説明のためのみ、これら代替と変形のいくつかが説明される。
【０１２９】
上記の説明では、ＲＳＲＰはビーム品質測定として使用されたが、他のパラメータが代替として（又はＲＳＲＰに加えて）使用されてもよい。例えば、ＲＳＲＱ（Reference Signal Received Quality）、キャリアＲＳＳＩ（Received Signal Strength Indicator）、ＣＱＩ（Channel Quality Indicator）、ＳＩＮＲ（ Signal to Interference plus Noise Ratio）、及び／又はＳＮＲ（Signal to Noise Ratio）測定が使用され得る。
【０１３０】
上記で説明されたオフセットは、固定であってもよく、或いはネットワークにより設定可能な値であってもよい。例えば、オフセットは、可能なオフセットの事前定義されたグループのメンバとして設定されてもよい。
【数５】
2020509654.tif 000007
ここで、オフセット＝０は、「ベストビーム」のみが選択されることに対応する。
【０１３１】
ＵＥは、複数のビームを有してもよく、各基地局が送信したビームについて、ＵＥは、異なる受信ビームを使用してもよい。
【０１３２】
上記例示の実施形態において、基地局は、３ＧＰＰ無線通信（無線アクセス）技術を使用し、モバイルデバイスと通信する。しかしながら、任意の他の無線通信技術（すなわちＷＬＡＮ、Ｗｉ−Ｆｉ、ＷｉＭＡＸ、Ｂｌｕｅｔｏｏｔｈなど）が、上記例示の実施形態に係る基地局５とモバイルデバイス３との間の通信に使用されることができる。上記例示の実施形態は、「非モバイル」、或いは一般に静止したユーザ機器にも適用できる。
【０１３３】
上記では、理解を容易にするために、ＵＥが、いくつかの個別の機能コンポーネント又はモジュールを有するとして説明した。これらモジュールは、例えば本発明を実装するために既存システムが変更される特定のアプリケーションのためにこの方法で提供され得るが、他のアプリケーションにおいて、例えば本発明の特徴を最小から念頭に置いて設計されたシステムにおいて、これらモジュールは、オペレーティングシステム又はコード全体に組み込まれてもよく、従って、これらのモジュールは個別のエンティティとして認識されなくてもよい。
【０１３４】
上記説明では、ＵＥは、セル品質測定を実行するとして説明された。変形例において、ＵＥは、ビーム品質を測定し、基地局にビーム品質測定を提供してもよい。基地局は、その後、セル品質を導出してもよい（例えば上記で説明したように）。
【０１３５】
本明細書で説明される一例は、通信デバイスで実施される方法であって、ａ）セルの複数のビームのそれぞれのビーム品質を測定し、ｂ）複数のビームのうち、Ｎ個のビームを有する第１のグループのビームを識別し、ここで、第１のグループの各ビームは、測定から生じるＮ個の最良の測定ビーム品質にあるそれぞれの測定ビーム品質を示し、ｃ）第１のグループから、測定品質が第１のグループのビームについて最良の測定ビーム品質からあらかじめ設定されたオフセットだけ低い品質以上の測定ビーム品質を有するＭ個のビームを有するビームの第２のグループを選択し、ｄ）第２のグループのＭ個のビームの測定ビーム品質に基づいてセルのセル品質を導出する方法を有する。
【０１３６】
方法は、測定リポートにおいてセル品質を基地局に報告することを更に有し得る。方法は、第１のグループ、及び／又は第２のグループの少なくとも１組のビームのペアの間の相関を決定することを更に有し得る。相関を識別するための情報（又は、相関に基づいて計算される値）は、導出されたセル品質とは別に、測定リポートに含まれ得る。セル品質は、決定された相関（又は、決定された相関に基づいて計算された値）に基づいて更に導出され得る。第２のグループ内のビームの数Ｍを識別する情報は、導出されたセル品質とは別に測定リポートに含まれ得る。セル品質は、第２のグループ内のビームの数Ｍに基づいて更に導出され得る。
【０１３７】
セル品質は、下記式に基づいて導出され得る。
【数６】
2020509654.tif 000008
ここで、Qbeamiは、インデクスｉを有するビームについて測定されたビーム品質であり、Ｍは第２のグループにおける選択されたベストビームの数であり、Ｃは、セル内のビーム間の相関の関数である。
【０１３８】
セル品質は、下記式に基づいて導出され得る。
【数７】
2020509654.tif 000009
ここで、Qbeam1は、セル内のベストビームについて測定されたビーム品質であり、Qbeamiは、インデクスｉを有するビームについて測定されたビーム品質であり、βは設定可能な値であり、Ｃｊ，ｉは、ビームインデクス＝ｊを有するビームとインデックス＝ｉを有するビームとの間の相関の度合いである。
【０１３９】
セル品質は、下記式に基づいて導出され得る。
【数８】
2020509654.tif 000010
ここで、Qbeamiは、インデクスｉを有するビームについて測定されたビーム品質であり、Ｗｉは、Qbeamiに適用される重みである。重み（Ｗｉ）は、下記式に基づいて導出され得る。
【数９】
2020509654.tif 000011
ここで、αは１より小さい正の値を有する設定可能なパラメータであり、ｉは数値ビームインデックスである。第２のグループの各ビームは、それぞれ、最も高いビーム品質を示すビームが最も小さいインデックス値（例えば１）を有し、最も低いビーム品質を示すビームが最も大きいインデックス値（例えば第２のグループのビームの数Ｍに等しいインデックス値）を有するように、第２のグループの他の各ビームと比較したそのビームのビーム品質に依存した数値ビームインデックスｉを有していてもよい。
【０１４０】
方法は、第１のグループ内の識別されたビームに対してフィルタリング（例えばＬ３フィルタリング）を実施することを有していてもよく、ビームの第１のグループからビームの第２のグループを選択することは、フィルタされた第１のグループ内の識別されたビームに基づいて実施される。
【０１４１】
方法は、ステップａ）からｄ）を少なくとも１つの更なるセルについて繰り返すことを更に有し得る。
【０１４２】
本明細書に説明される一例は、通信デバイスにより実行される方法であって、ａ）通信デバイスのサービングセルにおいて、サービングセルの複数のビームのそれぞれに対してそれぞれのビーム品質を測定し、ｂ）サービングセルの複数のビームのうち、Ｎ個のビームを有するサービングセルビームのグループを識別し、ここで、サービングセルビームのグループの各ビームは、第１のセルにおける測定から生じるＮ個の最良の測定ビーム品質にある測定ビーム品質を示し、かつサービングセルビームのグループは、サービングセルビームのグループにおいて最良の測定ビーム品質を示すベストサービングセルビームを有し、ｃ）サービングセルの隣接セルにおいて、隣接セルの複数のビームのそれぞれに対してそれぞれのビーム品質を測定し、ｄ）隣接セルの複数のビームのうち、Ｎ個のビームを有する隣接セルビームのグループを識別し、ここで、隣接セルビームのグループの各ビームは、隣接セルの測定から生じるＮ個の最良の測定ビーム品質にある測定ビーム品質を示し、かつ、隣接セルビームのグループは、隣接セルビームのグループにおいて最良の測定品質を示すベスト隣接セルビームを有し、ｅ）ベストサービングセルビームの測定品質をベスト隣接セルビームの測定品質とを比較し、ベストサービングセルビームとベスト隣接セルビームとの間で最も低い測定品質を識別し、ｆ）隣接セルビームのグループから、測定ビーム品質が、決定された最も低い測定品質よりあらかじめ設定されたオフセットだけ低い品質以上の測定品質を有するＭ個のビームを有する隣接セルビームの更なるグループを選択し、ｇ）隣接セルビームの更なるグループのＭ個のビームの測定ビーム品質に基づいて隣接セルの測定品質を導出する、方法を有する。
【０１４３】
方法は、ステップｃ）からｇ）をサービングセルの更なる隣接セルの少なくとも１つに対して繰り返すことを更に有し得る。
【０１４４】
本明細書に説明される一例は、通信デバイスによって実行される方法であって、ａ）第１のセルにおいて、第１のセルの複数のビームのそれぞれに対しそれぞれのビーム品質を測定し、ｂ）第１のセルの複数のビームのうち、Ｎ個のビームを有する第１のセルビームのグループであって、第１のセルビームのグループのビームのそれぞれは、第１のセルにおける測定から生じるＮ個の最良の測定ビーム品質であるそれぞれの測定ビーム品質を示す第１のセルビームのグループを識別し、ｃ）少なくとも１つの第２のセルにおいて、第２のセルの複数のビームのそれぞれに対しそれぞれのビーム品質を測定し、ｄ）少なくとも１つの第２のセルの複数のビームのうち、Ｎ個のビームを有する少なくとも１つの第２のセルビームのグループであって、少なくとも１つの第２のセルビームのグループのビームのそれぞれは、少なくとも１つの第２のセルにおける測定から生じるＮ個の最良の測定ビーム品質であるそれぞれの測定ビーム品質を示す第２のセルビームのグループを識別し、ｅ）第１のセルビームのグループ及び少なくとも１つの第２のセルビームのグループから、Ｍ個のビームを有する更なるビームのグループであって、更なるグループのビームのそれぞれは、第１のセル及び少なくとも１つの第２のセルにおける測定から生じるＭ個の最良の測定ビーム品質であるそれぞれの測定ビーム品質を示す更なるグループを選択し、ｆ）更なるグループ内の第１のセルのビームの測定ビーム品質に基づいて第１のセルのセル品質を導出し、ｇ）更なるグループ内の少なくとも１つの第２のセルのビームの測定ビーム品質に基づいて少なくとも１つの第２のセルのセル品質を導出する、方法を有する。
【０１４５】
第１のセルはサービングセルを含んでいてもよく、少なくとも１つの第２のセルは少なくとも１つの隣接セルであってもよい。
【０１４６】
本明細書に説明される一例は、基地局により実行される方法であって、ａ）少なくとも１つのＵＥにメッセージを送信し、複数のビームが提供される少なくとも１つのセルにおいてセル品質測定を実行させるように、少なくとも１つのＵＥを構成し、ｂ）ＵＥから、上記した方法を使用して、少なくともビームの選択に対するビーム品質の測定に基づいて導出された、少なくとも１つのセルに対する少なくとも１つのセル品質を有する測定リポートを受信する、方法を有する。
【０１４７】
方法は、少なくとも１つのセル品質測定に基づいてハンドオーバ決定を行うことを更に有し得る。その決定は、グループの各ビームがＭ個の最良の測定ビーム品質にあるそれぞれの測定ビーム品質を示すグループ内にあるようにＵＥにより選択されたビームの数を表す値Ｍ、及びグループのビームの少なくとも１つのペアの間の相関の値（又は相関の値に基づいて計算された値）の少なくとも１つに更に基づいてもよい。値Ｍ、及び相関の値（又は相関の値に基づいて計算された値）の少なくとも１つは、測定リポートにおいて提供され得る。
【０１４８】
上記の例示的な実施形態では、いくつかのソフトウェアモジュールが説明された。当業者が理解するように、ソフトウェアモジュールは、コンパイルされた、或いはコンパイルされていない形で提供されることができ、コンピュータネットワーク又は記録媒体を通じた信号として、基地局、モビリティ管理エンティティ、又はモバイルデバイスに供給され得る。さらに、このソフトウェアの一部又は全部により実行される機能は、１以上の専用ハードウェア回路を使用して実行され得る。しかしながら、ソフトウェアモジュールの使用は、基地局又はモバイルデバイスの機能を更新するために基地局又はモバイルデバイスの更新を容易にするため、好ましい。
【０１４９】
各コントローラは、例えば１以上のハードウェア実装コンピュータプロセッサ、マイクロプロセッサ、中央処理装置（ＣＰＵ：Central Processing Unit）、論理演算ユニット（ＡＬＵ：arithmetic logic unit）、入出力（ＩＯ：Input/Output）回路、内部メモリ／キャッシュ（プログラム及び／又はデータ）、処理レジスタ、通信バス（例えば制御バス、データバス、及び／又はアドレスバス）、ＤＭＡ（direct memory access）機能、ハードウェア又はソフトウェア実装カウンタ、ポインタ、及び／又はタイマなどを含む（ただし限定されない）任意の適切な形態の処理回路を有し得る。
【０１５０】
種々の他の変形が当業者には明らかであり、ここでは更に詳細には説明しない。
【０１５１】
この出願は、それぞれ２０１７年２月３日及び２０１７年２月１０日に出願された英国特許出願番号１７０１８５８．１及び１７０２２８１．５に基づく優先権の利益を主張し、その開示の全てを参照としてここに取り込む。
【図１】
2020509654.tif 000016
【図２】
2020509654.tif 000017
【図３】
2020509654.tif 000018
【図４】
2020509654.tif 000019
【図５】
2020509654.tif 000020
【図６】
2020509654.tif 000021
【図７】
2020509654.tif 000022
【図８】
2020509654.tif 000023
【図９】
2020509654.tif 000024
【図１０】
2020509654.tif 000025
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
通信デバイスによって実行される方法であって、
ａ）セルの複数のビームのそれぞれに対してそれぞれのビーム品質を測定し、
ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、
ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、
ｄ）前記第２のグループのＭ個のビームの測定ビーム品質に基づいて前記セルのセル品質を導出する、方法。
【請求項２】
更に、測定リポートにおいて基地局に前記セル品質を報告する請求項１に記載の方法。
【請求項３】
更に、少なくとも１つの、前記第１のグループ及び／又は前記第２のグループのビームのペア間の相関を決定する請求項２に記載の方法。
【請求項４】
前記相関を識別する情報が前記測定リポートに前記導出されたセル品質とは別に含まれる請求項３に記載の方法。
【請求項５】
前記セル品質は、前記決定された相関に基づいて更に導出される請求項３に記載の方法。
【請求項６】
前記第２のグループにおけるビームの数Ｍを識別する情報が、前記測定リポートに前記導出されたセル品質とは別に含まれる請求項２から５何れか１項に記載の方法。
【請求項７】
前記セル品質は、前記第２のグループにおけるビームの数Ｍに基づいて更に導出される請求項２から５何れか１項に記載の方法。
【請求項８】
セル品質は、下記式、
【数１】
2020509654.tif 000026
に基づいて導出され、ここで、Qbeamiはインデックスｉを有するビームについて測定されたビーム品質であり、Ｍは前記第２のグループにおいて選択されたビームの数であり、Ｃは前記セル内のビーム間の相関の関数である請求項１又は２に記載の方法。
【請求項９】
前記セル品質は、下記式、
【数２】
2020509654.tif 000027
に基づいて更に導出され、ここで、Qbeam1は前記セル内のベストビームについて測定されたビーム品質であり、Qbeamiはインデックスｉを有するビームについて測定されたビーム品質であり、βは設定可能な値であり、Ｃｊ，ｉはビームインデックス＝ｊを有するビームとビームインデックス＝ｉを有するビームとの間の相関の度合いである請求項１又は２に記載の方法。
【請求項１０】
前記セル品質は、下記式、
【数３】
2020509654.tif 000028
に基づいて更に導出され、ここで、Qbeamiはインデックスｉを有するビームについて測定されたビーム品質であり、ＷｉはQbeamiに適用される重みである請求項１又は２に記載の方法。
【請求項１１】
前記重み（Ｗｉ）は、下記式、
【数４】
2020509654.tif 000029
に基づいて導出され、ここで、αは１より小さい正の値を持つ設定可能なパラメータであり、ｉは数値ビームインデックスである請求項１０に記載の方法。
【請求項１２】
コントローラとトランシーバとを有する通信デバイスであって、前記コントローラは、
ａ）セルの複数のビームのそれぞれに対してそれぞれのビーム品質を測定し、
ｂ）前記複数のビームのうち、Ｎ個のビームを有するビームの第１のグループであって、該第１のグループのビームのそれぞれは、前記測定から生じるＮ個の最良の測定ビーム品質であるそれぞれの測定ビーム品質を示す第１のグループを識別し、
ｃ）前記ビームの第１のグループから、最良の測定ビーム品質からあらかじめ設定されたオフセットだけ低いビーム品質以上の測定ビーム品質を有するＭ個のビームを有するビームの第２のグループを選択し、
ｄ）前記第２のグループのＭ個のビームの測定ビーム品質に基づいて前記セルのセル品質を導出する、ことを動作可能である通信デバイス。
【国際調査報告】
2020509654.tif 000030
2020509654.tif 000031